(57)【要約】【課題】サイズが小さい手動操作部の手動操作などを必要とすることなく、簡単かつ迅速に複数の動作状態を切り換えられる構造の携帯電子機器を提供する。【解決手段】重力に対する携帯機器本体１１０の方向を加速度センサで検知し、その方向により第一動作状態および第二動作状態を切り換える。手指で把持した携帯機器本体１１０の方向を変化させるだけで、第一動作状態と第二動作状態とを切り換えることができる。【選択図】図１
2008065585.tif 000002
【特許請求の範囲】
【請求項１】
携帯機器本体と、
前記携帯機器本体に内蔵されていて複数種類のデータ処理として少なくとも第一データ処理と第二データ処理とを実行するデータ処理部と、
前記携帯機器本体の外面に位置して少なくとも前記第一データ処理に関連する第一手動操作と前記第二データ処理に関連する第二手動操作とを受け付ける手動操作部と、
前記携帯機器本体の外面に位置して少なくとも前記第一データ処理に関連する第一操作画像を第一方向に表示するとともに前記第二データ処理に関連する第二操作画像を第二方向に表示する画像表示部と、
重力に対する前記携帯機器本体の方向を検知する重力検知部と、
検知される前記携帯機器本体の方向により前記第一データ処理と前記第一手動操作と前記第一操作画像とが有効な第一動作状態および前記第二データ処理と前記第二手動操作と前記第二操作画像とが有効な第二動作状態を切り換える処理切換部と、
を有する携帯電子機器。
【請求項２】
前記処理切換部は、上方に表示される前記第一操作画像と前記第二操作画像との一方が有効となるように前記第一動作状態と前記第二動作状態とを切り換える請求項１に記載の携帯電子機器。
【請求項３】
前記画像表示部は、前記第一操作画像と前記第二操作画像との有効となった一方に有効を示す指標を表示する請求項１または２に記載の携帯電子機器。
【請求項４】
前記画像表示部は、前記第一操作画像と前記第二操作画像との無効となった一方に無効を示す指標を表示する請求項１ないし３の何れか一項に記載の携帯電子機器。
【請求項５】
前記画像表示部は、前記第一操作画像と前記第二操作画像との無効となった一方の表示を一時中止する請求項１ないし３の何れか一項に記載の携帯電子機器。
【請求項６】
少なくともシングルモードとマルチモードとを複数種類の動作モードとして切換自在に設定するモード切換部を、さらに有し、
前記データ処理部は、前記シングルモードが設定されると一つの前記データ処理を実行し、前記マルチモードが設定されると少なくとも前記第一データ処理と前記第二データ処理とを実行し、
前記手動操作部は、前記シングルモードが設定されると実行される一つの前記データ処理に関連する手動操作を受け付け、前記マルチモードが設定されると少なくとも前記第一手動操作と前記第二手動操作とを受け付け、
前記画像表示部は、前記シングルモードが設定されると実行される一つの前記データ処理に関連する操作画像を前記第一方向と前記第二方向とに表示し、前記マルチモードが設定されると少なくとも前記第一操作画像を前記第一方向に表示するとともに前記第二操作画像を前記第二方向に表示し、
前記処理切換部は、前記シングルモードが設定されると機能せず、前記マルチモードが設定されると機能する請求項１ないし５の何れか一項に記載の携帯電子機器。
【請求項７】
携帯機器本体と、
前記携帯機器本体に内蔵されていて複数種類のデータ処理として少なくとも第一データ処理と第二データ処理とを実行するデータ処理部と、
前記携帯機器本体の外面に位置して少なくとも前記第一データ処理に関連する第一手動操作と前記第二データ処理に関連する第二手動操作とを受け付ける手動操作部と、
前記携帯機器本体の外面に位置して少なくとも前記第一データ処理に関連する第一操作画像と前記第二データ処理に関連する第二操作画像とを切り替えて表示する画像表示部と、
重力に対する前記携帯機器本体の方向を検知する重力検知部と、
検知される前記携帯機器本体の方向により前記第一データ処理と前記第一手動操作と前記第一操作画像とが有効な第一動作状態および前記第二データ処理と前記第二手動操作と前記第二操作画像とが有効な第二動作状態を切り換える処理切換部と、
を有する携帯電子機器。
【請求項８】
少なくともシングルモードとマルチモードとを複数種類の動作モードとして切換自在に設定するモード切換部を、さらに有し、
前記データ処理部は、前記シングルモードが設定されると一つの前記データ処理を実行し、前記マルチモードが設定されると少なくとも前記第一データ処理と前記第二データ処理とを実行し、
前記手動操作部は、前記シングルモードが設定されると実行される一つの前記データ処理に関連する手動操作を受け付け、前記マルチモードが設定されると少なくとも前記第一手動操作と前記第二手動操作とを受け付け、
前記画像表示部は、前記シングルモードが設定されると実行される一つの前記データ処理に関連する操作画像を表示し、前記マルチモードが設定されると前記第一操作画像と前記第二操作画像とを切換表示し、
前記処理切換部は、前記シングルモードが設定されると機能せず、前記マルチモードが設定されると機能する請求項７に記載の携帯電子機器。
【請求項９】
複数種類の前記データ処理から前記第一データ処理と前記第二データ処理との組み合わせを記憶している処理記憶部を、さらに有し、
前記データ処理部は、前記第一データ処理と前記第二データ処理との一方が起動されると記憶されている前記組み合わせに対応して他方も起動する請求項１ないし５または７の何れか一項に記載の携帯電子機器。
【請求項１０】
複数種類の前記データ処理から前記第一データ処理と前記第二データ処理との組み合わせを記憶している処理記憶部を、さらに有し、
前記データ処理部は、前記シングルモードが設定されて前記第一データ処理と前記第二データ処理との一方が起動されている状態から前記マルチモードが設定されると記憶されている前記組み合わせに対応して他方も起動する請求項６または８に記載の携帯電子機器。
【発明の詳細な説明】
【技術分野】
【０００１】
本発明は、携帯機器本体にデータ処理部と手動操作部と画像表示部とが搭載されている構造の携帯電子機器に関し、特に、画像表示部が複数画像を複数方向に表示する携帯電子機器に関する。
【背景技術】
【０００２】
現在、いわゆる携帯電話端末などの携帯電子機器の多機能化が進行している。このような携帯電子機器は、携帯機器本体にデータ処理部と手動操作部と画像表示部とが搭載されている。
【０００３】
そのデータ処理部は、携帯機器本体に内蔵されていて複数種類のデータ処理を実行する。手動操作部は、携帯機器本体の外面に位置して複数種類のデータ処理ごとに手動操作を受け付ける。画像表示部は、携帯機器本体の外面に位置してデータ処理ごとに操作画像を表示する。
【０００４】
このため、携帯電子機器は、複数種類のデータ処理の一つがデータ処理部で選択的に実行されるとき、そのデータ処理に関連した手動操作が手動操作部で受け付けられるとともに、そのデータ処理に関連した操作画像が画像表示部に表示される。
【０００５】
従って、データ処理部と手動操作部と画像表示部とが各々一個でも、複数種類のデータ処理を切り換えて実行することができる。現在、上述のような携帯電子機器として各種の提案がある(例えば、特許文献１，２参照)。
【特許文献１】特開平０９−１３４２４９号公報
【特許文献２】特開２００４−２８７４４０号公報
【発明の開示】
【発明が解決しようとする課題】
【０００６】
上述のような携帯電子機器では、複数種類のデータ処理を手動操作部の手動操作で切り換えて実行することができる。しかし、換言するとデータ処理を切り換えるためには手動操作部に手動操作を実行する必要がある。
【０００７】
このため、関連する複数のデータ処理を同時に実行したい場合でも、手動操作部の手動操作により実行するデータ処理を切り換えている。このため、その手動操作が煩雑であり、複数の操作画像を並列に確認するようなことができない。
【０００８】
例えば、いわゆるパーソナルコンピュータなどでは、複数のデータ処理を同時に起動しておき、その複数の操作画像を画像表示部にウインドウとして並列に表示する。このような状態で起動されている複数のデータ処理の一つを有効とする。
【０００９】
すると、その有効となったデータ処理に関連する操作画像が有効となり、有効となったデータ処理に関連する手動操作を手動操作部が受け付ける。このため、複数の操作画像を並列に確認しながら複数のデータ処理を選択的に実行するようなことができる。
【００１０】
しかし、携帯電子機器では、画像表示部の画面サイズが小さいため、上述のように複数の操作画像をウインドウとして並列に表示することは困難である。このため、現在では複数のデータ処理を同時に起動しておく場合でも、有効とされた一つのデータ処理の操作画像を画像表示部の全面に表示している。
【００１１】
従って、複数のデータ処理の操作画像を切り換えるために手動操作部を手指で操作する必要がある。当然ながら携帯電子機器では手動操作部のサイズも小さいため、手動操作部を頻繁に手指で操作することは負担が多大である。
【００１２】
本発明は上述のような課題に鑑みてなされたものであり、サイズが小さい手動操作部を手動操作するような煩雑な作業を必要とすることなく、簡単かつ迅速に第一動作状態と第二動作状態とを切り換えることができる携帯電子機器を提供するものである。
【課題を解決するための手段】
【００１３】
本発明の第一の携帯電子機器は、携帯機器本体と、携帯機器本体に内蔵されていて複数種類のデータ処理として少なくとも第一データ処理と第二データ処理とを実行するデータ処理部と、携帯機器本体の外面に位置して少なくとも第一データ処理に関連する第一手動操作と第二データ処理に関連する第二手動操作とを受け付ける手動操作部と、携帯機器本体の外面に位置して少なくとも第一データ処理に関連する第一操作画像を第一方向に表示するとともに第二データ処理に関連する第二操作画像を第二方向に表示する画像表示部と、重力に対する携帯機器本体の方向を検知する重力検知部と、検知される携帯機器本体の方向により第一データ処理と第一手動操作と第一操作画像とが有効な第一動作状態および第二データ処理と第二手動操作と第二操作画像とが有効な第二動作状態を切り換える処理切換部と、を有する。
【００１４】
本発明の第二の携帯電子機器は、携帯機器本体と、携帯機器本体に内蔵されていて複数種類のデータ処理として少なくとも第一データ処理と第二データ処理とを実行するデータ処理部と、携帯機器本体の外面に位置して少なくとも第一データ処理に関連する第一手動操作と第二データ処理に関連する第二手動操作とを受け付ける手動操作部と、携帯機器本体の外面に位置して少なくとも第一データ処理に関連する第一操作画像と第二データ処理に関連する第二操作画像とを切り替えて表示する画像表示部と、重力に対する携帯機器本体の方向を検知する重力検知部と、検知される携帯機器本体の方向により第一データ処理と第一手動操作と第一操作画像とが有効な第一動作状態および第二データ処理と第二手動操作と第二操作画像とが有効な第二動作状態を切り換える処理切換部と、を有する。
【００１５】
従って、本発明の第一および第二の携帯電子機器では、第一データ処理と第一手動操作と第一操作画像とが有効な第一動作状態と、第二データ処理と第二手動操作と第二操作画像とが有効な第二動作状態とが、重力に対する携帯機器本体の方向により切り換えられる。このため、例えば、手指で把持した携帯機器本体の方向を変化させるだけで、サイズが小さい手動操作部を手動操作せずとも、第一動作状態と第二動作状態とが切り換えられる。
【００１６】
なお、本発明で云う各種の構成要素は、その機能を実現するように形成されていればよく、例えば、所定の機能を発揮する専用のハードウェア、所定の機能がコンピュータプログラムにより付与された携帯電子機器、コンピュータプログラムにより携帯電子機器に実現された所定の機能、これらの任意の組み合わせ、等として実現することができる。
【００１７】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００１８】
本発明の携帯電子機器では、第一データ処理と第一手動操作と第一操作画像とが有効な第一動作状態と、第二データ処理と第二手動操作と第二操作画像とが有効な第二動作状態とが、重力に対する携帯機器本体の方向により切り換えられる。このため、例えば、手指で把持した携帯機器本体の方向を変化させるだけで、サイズが小さい手動操作部を手動操作するような煩雑な作業を必要とすることなく、簡単かつ迅速に第一動作状態と第二動作状態とを切り換えられる構造を実現することができる。
【発明を実施するための最良の形態】
【００１９】
本発明の実施の一形態を図１ないし図４を参照して以下に説明する。なお、本実施の形態では、図示するように、上下以外にも前後左右の方向を規定して説明する。ただし、この前後左右の方向は本実施の形態の構成要素の相対関係を簡単に説明するために便宜的に規定するものである。従って、本発明を実施する場合の製造時や使用時の方向を限定するものではない。
【００２０】
本実施の形態の携帯電子機器である携帯電話端末１００は、図１(ａ)および図２に示すように、携帯機器本体１１０と、携帯機器本体１１０に内蔵されていて複数種類のデータ処理として少なくとも第一データ処理と第二データ処理とを実行するデータ処理部(図示せず)と、携帯機器本体１１０の外面に位置して少なくとも第一データ処理に関連する第一手動操作と第二データ処理に関連する第二手動操作とを受け付ける手動操作部１２０と、携帯機器本体１１０の外面に位置して少なくとも第一データ処理に関連する第一操作画像を第一方向に表示するとともに第二データ処理に関連する第二操作画像を第二方向に表示する画像表示部１３０と、重力に対する携帯機器本体１１０の方向を検知する重力検知部である加速度センサ１４０と、検知される携帯機器本体１１０の方向により第一データ処理と第一手動操作と第一操作画像とが有効な第一動作状態および第二データ処理と第二手動操作と第二操作画像とが有効な第二動作状態を切り換える処理切換部(図示せず)と、を有する。
【００２１】
より詳細には、携帯電話端末１００は、図２に示すように、制御部１５０とメモリ部１６０とを有する。制御部１５０は、いわゆるマイクロコンピュータからなる。メモリ部１６０は、ＲＡＭ(Random Access Memory)やＲＯＭ(Read Only Memory)等からなる。
【００２２】
メモリ部１６０には、制御部１５０に利用されるコンピュータプログラムやリソースなどが格納されている。そのコンピュータプログラムを制御部１５０が読み取って対応する処理動作を実行することにより、上述したデータ処理部や処理切換部が論理的に形成されている。
【００２３】
画像表示部１３０は、図３に示すように、ＬＣＤ(Liquid Crystal Display)１３１にバリアパネル１３２が積層された構造からなる。バリアパネル１３２には、前後方向に細長い多数のスリット１３３と多数のバリア部１３４とが、左右方向に交互に位置するストライプ構造からなる。
【００２４】
ＬＣＤ１３１は、スリット１３３の直下に位置する部分に第一操作画像を表示し、バリア部１３４の直下に位置する部分に第二操作画像を表示する。このため、図３および図１(ｂ)に示すように、画像表示部１３０は、上方である第一方向に第一操作画像を表示するとともに、上方から左右に所定角度まで傾斜した第二方向に第二操作画像を表示する。
【００２５】
さらに、携帯電話端末１００は、上述のようにメモリ部１６０のコンピュータプログラムを制御部１５０が読み取って対応する処理動作を実行することにより、シングルモードとマルチモードとを複数種類の動作モードとして切換自在に設定するモード切換部を、さらに有する。
【００２６】
そして、データ処理部は、シングルモードが設定されると一つのデータ処理を実行する。マルチモードが設定されると少なくとも第一データ処理と第二データ処理とを実行する。
【００２７】
手動操作部１２０は、シングルモードが設定されると実行される一つのデータ処理に関連する手動操作を受け付ける。マルチモードが設定されると少なくとも第一手動操作と第二手動操作とを受け付ける。
【００２８】
画像表示部１３０は、シングルモードが設定されると実行される一つのデータ処理に関連する操作画像を第一方向と第二方向とに表示する。マルチモードが設定されると第一操作画像を第一方向に表示するとともに第二操作画像を第二方向に表示する。処理切換部は、シングルモードが設定されると機能せず、マルチモードが設定されると機能する。
【００２９】
上述のような構成において、本実施の形態の携帯電話端末１００の動作を以下に順番に説明する。まず、携帯電話端末１００は、例えば、手動操作部１２０の手動操作によりマルチモードが選択されると、図４に示すように、その時点での加速度センサ１４０の出力値により携帯機器本体１１０の方向が初期設定される(ステップＳ１)。
【００３０】
さらに、マルチモードが初期設定されて第一動作状態と第二動作状態とが起動され、第一動作状態が有効として初期設定される(ステップＳ２)。このとき、画像表示部１３０では、図１(ｂ)に示すように、第一操作画像が第一方向に表示されるとともに、第二操作画像が第二方向に表示される。
【００３１】
ただし、第一動作状態が有効とされているので、手動操作部１２０への手動操作は第一手動操作として認識される。そして、この第一手動操作に対応して制御部１５０で第一データ処理が実行され、この第一データ処理に対応した第一操作画像が画像表示部１３０に表示される。
【００３２】
なお、本実施の形態の携帯電話端末１００では、例えば、二つの機能が起動されている状態で上述のようにマルチモードが設定されると、その二つの機能が第一データ処理および第二データ処理とされる。また、三つ以上の機能が起動されているときは、例えば、直前に使用されていた二つの機能が第一データ処理および第二データ処理とされる。
【００３３】
上述のような状態から、例えば、第二方向が上方となる状態に携帯機器本体１１０が左右に傾斜されると(ステップＳ４)、第二動作状態が有効として切換設定される(ステップＳ５)。
【００３４】
このとき、加速度センサ１４０の出力値を初期設定の出力値から減算して基準値と比較することにより、第二方向が上方となる状態まで携帯機器本体１１０が左右に傾斜されたかが判定される。
【００３５】
すると、手動操作部１２０への手動操作は第二手動操作として認識される。そして、この第二手動操作に対応して制御部１５０で第二データ処理が実行され、この第二データ処理に対応した第二操作画像が画像表示部１３０に表示される。
【００３６】
上述のような状態から、例えば、第一方向が上方となる状態に携帯機器本体１１０の傾斜が復帰されると(ステップＳ７)、第一動作状態が有効として切換設定される(ステップＳ２)。
【００３７】
また、手動操作部１２０への手動操作でマルチモードが終了されると(ステップＳ３，Ｓ６)、シングルモードが設定される(ステップＳ８)。この状態では、画像表示部１３０では、一つの操作画像が第一方向と第二方向とに表示される。
【００３８】
そこで、携帯機器本体１１０の傾斜には関係なく、手動操作に対応して制御部１５０でシングルモードのデータ処理が実行され、このデータ処理に対応した操作画像が画像表示部１３０に表示される。
【００３９】
本実施の形態の携帯電話端末１００では、上述のように第一データ処理と第一手動操作と第一操作画像とが有効な第一動作状態と、第二データ処理と第二手動操作と第二操作画像とが有効な第二動作状態とが、重力に対する携帯機器本体１１０の方向により切り換えられる。
【００４０】
このため、例えば、手指で把持した携帯機器本体１１０の方向を変化させるだけで、サイズが小さい手動操作部１２０を手動操作するような煩雑な作業を必要とすることなく、簡単かつ迅速に第一動作状態と第二動作状態とを切り換えることができる。
【００４１】
しかも、前述のように起動していた二つの機能が自動的にマルチモードで利用されるので、利用者の利便性が良好である。特に、二つの機能を同時に起動しているときは、それらの機能が相互に関連している可能性が高い。従って、その二つの機能を簡単かつ迅速に切り換えて利用できることは、極めて有効である。
【００４２】
しかも、本実施の形態の携帯電話端末１００では、シングルモードとマルチモードとが切換自在に設定され、シングルモードでは携帯機器本体１１０の方向に関係なく一つの動作状態が維持される。
【００４３】
このため、シングルモードでは携帯機器本体１１０の方向が処理動作に影響することを防止でき、マルチモードでは携帯機器本体１１０の方向により第一動作状態と第二動作状態を自動切換することができる。
【００４４】
なお、本発明は本実施の形態に限定されるものではなく、その要旨を逸脱しない範囲で各種の変形を許容する。例えば、上記形態では画像表示部１３０が上方である第一方向に第一操作画像を表示するとともに、上方から左右に所定角度まで傾斜した第二方向に第二操作画像を表示し、携帯機器本体１１０の左右への傾斜により第一動作状態と第二動作状態とが切り換えられることを例示した。
【００４５】
しかし、図５に例示する携帯電子機器である携帯電話端末２００のように、画像表示部２１０が上方である第一方向に第一操作画像を表示するとともに、上方から前後に所定角度まで傾斜した第二方向に第二操作画像を表示し、携帯機器本体１１０の前後への傾斜により第一動作状態と第二動作状態とが切り換えられてもよい。
【００４６】
また、上記形態では画像表示部１３０が二つの方向に二つの操作画像を表示し、携帯機器本体１１０の二つの方向に対応して二つの動作状態が切換設定されることを例示した。
【００４７】
しかし、画像表示部１３０が三つ以上の方向に三つ以上の操作画像を表示し、携帯機器本体１１０の三つ以上の方向に対応して三つ以上の動作状態が切換設定されることも不可能ではない。
【００４８】
さらに、上記形態では携帯電話端末１００に二つ以上の機能が起動されている状態でマルチモードが設定されると、その起動されている機能が第一データ処理と第二データ処理として利用されることを例示した。
【００４９】
しかし、複数種類のデータ処理から第一データ処理と第二データ処理との組み合わせを記憶している処理記憶部を、さらに有し、データ処理部は、第一データ処理と第二データ処理との一方が起動されると記憶されている組み合わせに対応して他方も起動してもよい。
【００５０】
この場合、一つの機能が起動されている状態でマルチモードが設定されると、または、マルチモードが設定された状態で一つの機能が選択されると、それに関連する第二の機能が自動的に起動され、これらが第一データ処理および第二データ処理となる。従って、関連する組み合わせの第一データ処理および第二データ処理の一方に連動して他方が自動的に起動されるので、さらに利用者の利便性を向上させることができる。
【００５１】
また、上記形態では初期状態の携帯機器本体１１０の方向で第一動作状態が有効とされることを例示した。しかし、上方に表示される第一操作画像と第二操作画像との一方が有効となるように第一動作状態と第二動作状態とが切り換えられてもよい。
【００５２】
この場合、同時に表示されている第一操作画像と第二操作画像とのうち上方に表示されている一方が有効なので、利用者は直感的に第一動作状態と第二動作状態とを認識することができる。
【００５３】
さらに、上記形態ではマルチモードでは画像表示部１３０に第一操作画像と第二操作画像とが同時に表示されていることを例示した。しかし、これでは無効の操作画像を利用者が有効と誤認する可能性がある。
【００５４】
従って、これが問題となる場合には、画像表示部１３０が、第一操作画像と第二操作画像との有効となった一方に有効を示す指標を表示すればよい(図示せず)。このような指標の表示は、例えば、"この画面での操作が現在有効です"などのガイダンスメッセージを上縁部に表示することなどで実現される。
【００５５】
また、第一操作画像と第二操作画像との無効となった一方に無効を示す指標を表示してもよい(図示せず)。さらに、第一操作画像と第二操作画像との無効となった一方の表示を一時中止してもよい(図示せず)。
【００５６】
さらに、上記形態では画像表示部１３０が二つの操作画像を二つの方向に同時に表示することを例示した。しかし、画像表示部が一つの操作画像を一つの方向に表示する一般的なデバイスでもよい。
【００５７】
その場合、重力に対する携帯機器本体１１０の方向を加速度センサ１４０で検知し、その検知される携帯機器本体１１０の方向により画像表示部に第一操作画像と第二操作画像との一方を選択的に表示させればよい。
【００５８】
また、上記形態では携帯電子機器として携帯電話端末１００を例示した。しかし、本発明は方向を自在に可変できる携帯サイズで画像表示部に操作画像が表示される携帯電子機器であればよく、例えば、ＰＤＡ(Personal Digital Assistance)、電子手帳、電子辞書、ノートパソコン、等にも適用することができる(図示せず)。
【図面の簡単な説明】
【００５９】
【図１】本発明の実施の形態の携帯電子機器である携帯電話端末の傾斜と表示の関係を示す模式図である。
【図２】携帯電話端末の回路構造を示す模式的なブロック図である。
【図３】画像表示部の内部構造を示す模式的な縦断正面図である。
【図４】携帯電話端末の処理動作を示すフローチャートである。
【図５】一変形例の携帯電話端末の傾斜と表示の関係を示す模式図である。
【符号の説明】
【００６０】
１００    携帯電話端末
１１０    携帯機器本体
１２０    手動操作部
１３０    画像表示部
１３２    バリアパネル
１３３    スリット
１３４    バリア部
１４０    加速度センサ
１５０    制御部
１６０    メモリ部
２００    携帯電話端末
２１０    画像表示部
【図１】
2008065585.tif 000003
【図２】
2008065585.tif 000004
【図３】
2008065585.tif 000005
【図４】
2008065585.tif 000006
【図５】
2008065585.tif 000007